(57)【特許請求の範囲】
【請求項１】
略矩形且つ板状に形成され、遊技機本体にヒンジによって揺動可能に取り付けられ、前記遊技機本体の前面側に形成された遊技盤を前方から覆う被覆状態と前記遊技盤の前方を開放する開放状態との間でその姿勢を変更可能であり、前記被覆状態であるときに前記遊技盤を視認可能とする開口部がそのほぼ中央に形成された本体部と、
板状に形成され、前記本体部と略平行な姿勢で前記本体部の表側に配置され、前記本体部に取り付けられた透明板と、
板状に形成され、前記本体部と略平行な姿勢で前記本体部の前記開口部内部の後端側に配置され、前記本体部に取り付けられた奥側透明板と、
を備える遊技機の盤面扉であって、
前記透明板は、プラスチック製であり、前記本体部の前側から前記本体部に対する垂直方向に沿って見た場合に当該透明板の外周に囲まれる領域が前記開口部の内周に囲まれる領域を含むよう形成され、
前記本体部との間に前記透明板を挟んで配されて前記本体部と取り外し可能に連結される押さえ部材を備えたこと
を特徴とする遊技機の盤面扉。
【請求項２】
請求項１に記載の遊技機の盤面扉において、
前記押さえ部材からは、前記本体部に連結された際に前記本体部の側面を迂回する側面部が延出するとともに、前記側面部からは前記本体部に連結された際に前記本体部の背面に至る背面部が延出しており、
一方、前記本体部は、前記本体部に連結された前記押さえ部材の前記背面部を係止可能な係止部材と、前記係止部材が前記背面部を係止する状態に保持する保持部材と、を有し、前記係止部材が前記背面部を係止する状態に前記保持部材が保持する場合に前記押さえ部材の前記本体部からの離脱を許可しない状態となり、前記係止部材が前記背面部を係止しない場合に前記押さえ部材の前記本体部からの離脱を許可する状態となること
を特徴とする遊技機の盤面扉。
【請求項３】
略矩形且つ板状に形成され、遊技機本体にヒンジによって揺動可能に取り付けられ、前記遊技機本体の前面側に形成された遊技盤を前方から覆う被覆状態と前記遊技盤の前方を開放する開放状態との間でその姿勢を変更可能であり、前記被覆状態であるときに前記遊技盤を視認可能とする開口部がそのほぼ中央に形成された本体部と、
板状に形成され、前記本体部と略平行な姿勢で前記本体部の表側に配置され、前記本体部に取り付けられた透明板と、
板状に形成され、前記本体部と略平行な姿勢で前記本体部の前記開口部内部の後端側に配置され、前記本体部に取り付けられた奥側透明板と、
を備える遊技機の盤面扉であって、
前記透明板は、プラスチック製であり、前記本体部の前側から前記本体部に対する垂直方向に沿って見た場合に当該透明板の外周に囲まれる領域が前記開口部の内周に囲まれる領域を含むよう形成され、
前記透明板からは、前記本体部に連結された際に前記本体部の側面を迂回する側面部が延出するとともに、前記側面部からは前記本体部に連結された際に前記本体部の背面に至る背面部が延出しており、
一方、前記本体部は、前記本体部に連結された前記透明板の前記背面部を係止可能な係止部材と、前記係止部材が前記背面部を係止する状態に保持する保持部材と、を有し、前記係止部材が前記背面部を係止する状態に前記保持部材が保持する場合に前記透明板の前記本体部からの離脱を許可しない状態となり、前記係止部材が前記背面部を係止しない場合に前記透明板の前記本体部からの離脱を許可する状態となること
を特徴とする遊技機の盤面扉。
【請求項４】
請求項１ないし３のいずれか１項に記載の遊技機の盤面扉において、
前記透明板と前記本体部との間に装飾部材が配されていることを特徴とする遊技機の盤面扉。
【請求項５】
請求項４記載の遊技機の盤面扉において、
前記装飾部材は、前記透明板と前記本体部との間に形成された空間に収容されていることを特徴とする遊技機の盤面扉。
【請求項６】
請求項４又は５記載の遊技機の盤面扉において、
前記装飾部材はプラスチック製であることを特徴とする遊技機の盤面扉。
【請求項７】
請求項１ないし６のいずれか１項に記載の遊技機の盤面扉において、
前記本体部の前記透明板と対向する部分の一部又は全部は、その隣接部分よりも凹陥していることを特徴とする遊技機の盤面扉。
【請求項８】
請求項７記載の遊技機の盤面扉において、
前記凹陥の深さは前記透明板の前記本体部に対向する部分の板厚に対応していることを特徴とする遊技機の盤面扉。
【請求項９】
請求項１ないし８のいずれか１項に記載の遊技機の盤面扉において、
前記透明板の縁部又は外縁から突出した突起を保持する保持部が設けられていることを特徴とする遊技機の盤面扉。
【請求項１０】
請求項１ないし９のいずれか１項に記載の遊技機の盤面扉において、
前記透明板を交換可能に構成されていることを特徴とする遊技機の盤面扉。
【請求項１１】
請求項１０記載の遊技機の盤面扉において、
前記透明板の縁部又は外縁から突出した突起を保持する保持部と、
前記縁部又は突起の前記保持部からの離脱を許さない状態と該離脱を許す状態とに可変の規制手段とを備えたことを特徴とする遊技機の盤面扉。
【発明の詳細な説明】
【技術分野】
【０００１】
本発明は、遊技機の技術分野に属する。
【背景技術】
【０００２】
パチンコ機等の遊技機は、遊技盤を臨ませる窓を有し、前記窓を閉じる透明板が取り付けられて、前記遊技盤の前方に配される盤面扉（ガラス枠、前枠等と呼ばれることがある。）を備えているのが普通である。
【０００３】
この盤面扉は、通常は外形が長方形で、一方の側部において遊技機の本体側にヒンジ連結されて開閉可能とされている。窓は長方形、アーチ形、円形等とされ、窓を閉じる透明板（多くの場合ガラス板）はほぼ正方形で、例えばガラスレールを用いて盤面扉の背面側に取り付けられていた。
【０００４】
ガラス板は、主に不正行為に対する耐性を高めるために２枚を適宜間隔（例えば十数ミリ）で配置していたので、ガラス板の厚さも含めれば全体として２０ミリ程の奥行きを占めていた。
【０００５】
但し、遊技の実行だけなら遊技盤との間に遊技領域を形成するガラス板が１枚あればよく、これについては遊技球と接触するためにガラス板が好ましいとしても、他の１枚（遊技者側）はガラスでなくてもよいので、これをプラスチック製にして、盤面扉等の枠体のデザインとの釣り合いを図る技術がある。
【特許文献１】特開２００３−３４００８１号公報
【発明の開示】
【発明が解決しようとする課題】
【０００６】
特許文献１に開示の技術では、透明カバーの筒状の部分を窓にはめ込んで取り付ける構造であるため、例えば円形や正方形、正八角形のような整った単純な形状の窓には適用できるものの、周に凹凸があるような窓には適用がきわめて困難であった。つまり、盤面扉のデザイン（特に窓の周形状）が制約されていた。
【課題を解決するための手段】
【０００７】
請求項１記載の遊技機の盤面扉は、略矩形且つ板状に形成され、遊技機本体にヒンジによって揺動可能に取り付けられ、前記遊技機の前面側に形成された遊技盤を前方から覆う被覆状態と前記遊技盤の前方を開放する開放状態との間でその姿勢を変更可能であり、前記被覆状態であるときに前記遊技盤を視認可能とする開口部がそのほぼ中央に形成された本体部と、板状に形成され、前記本体部と略平行な姿勢で前記本体部の表側に配置され、前記本体部に取り付けられた透明板と、板状に形成され、前記本体部と略平行な姿勢で前記本体部の裏側に配置され、前記本体部に取り付けられた奥側透明板と、を備える遊技機の盤面扉であって、前記透明板は、プラスチック製であり、前記本体部の前側から前記本体部に対する垂直方向に沿って見た場合に当該透明板の外周に囲まれる領域が前記開口部の内周に囲まれる領域を含むよう形成され、前記本体部との間に前記透明板を挟んで配されて前記本体部と取り外し可能に連結される押さえ部材を備えたことを特徴とする。
【０００８】
透明板は、本体部と略平行な姿勢で本体部の表側に配置されて本体部に取り付けられ、本体部の前側から本体部に対する垂直方向に沿って見た場合に当該透明板の外周に囲まれる領域が開口部（以下窓とも言う）の内周に囲まれる領域を含むよう形成されているので、窓から外れた部分の全部又は一部を盤面扉の前面に露出させて取り付けられて窓の前面側を閉じており、透明板が窓にはめ込まれるわけではないので、窓の周形状が透明板によって制約されない。よって、盤面扉のデザイン（特に窓の周形状）の自由度が高まる。
【０００９】
また、上記構成により、透明板の窓から外れた部分の全部又は一部が盤面扉の前面に露出させられるので、換言すれば透明板の一部が盤面扉の最表面となるので、斬新な視覚的効果が得られる。
しかも、透明板のほぼ全体を盤面扉の前面部分に位置させ、奥側透明板は、板状に形成され、本体部と略平行な姿勢で本体部の開口部内部の後端側に配置されて本体部に取り付けられているので、透明板と奥側透明板との間隔は窓の奥行き分で十分に確保される。従来技術では盤面扉の厚みは窓の奥行き＋２枚のガラス板＋ガラス板の間隔によって定まっていたが、少なくとも２枚のガラス板間の間隔に相当する分だけ盤面扉としての奥行きを小さくできる。
また、本体部との間に透明板を挟んで配されて本体部と取り外し可能に連結される押さえ部材を備えたから、透明板の取付が良好になる。
請求項２記載の遊技機の盤面扉は、請求項１に記載の遊技機の盤面扉において、前記押さえ部材からは、前記本体部に連結された際に前記本体部の側面を迂回する側面部が延出するとともに、前記側面部からは前記本体部に連結された際に前記本体部の背面に至る背面部が延出しており、一方、前記本体部は、前記本体部に連結された前記押さえ部材の前記背面部を係止可能な係止部材と、前記係止部材が前記背面部を係止する状態に保持する保持部材と、を有し、前記係止部材が前記背面部を係止する状態に前記保持部材が保持する場合に前記押さえ部材の前記本体部からの離脱を許可しない状態となり、前記係止部材が前記背面部を係止しない場合に前記押さえ部材の前記本体部からの離脱を許可する状態となることを特徴とする。
上記構成により、押さえ部材を盤面扉から引き剥がそうとする行為を防止できる。
請求項３記載の遊技機の盤面扉は、略矩形且つ板状に形成され、遊技機本体にヒンジによって揺動可能に取り付けられ、前記遊技機本体の前面側に形成された遊技盤を前方から覆う被覆状態と前記遊技盤の前方を開放する開放状態との間でその姿勢を変更可能であり、前記被覆状態であるときに前記遊技盤を視認可能とする開口部がそのほぼ中央に形成された本体部と、板状に形成され、前記本体部と略平行な姿勢で前記本体部の表側に配置され、前記本体部に取り付けられた透明板と、板状に形成され、前記本体部と略平行な姿勢で前記本体部の前記開口部内部の後端側に配置され、前記本体部に取り付けられた奥側透明板と、を備える遊技機の盤面扉であって、前記透明板は、プラスチック製であり、前記本体部の前側から前記本体部に対する垂直方向に沿って見た場合に当該透明板の外周に囲まれる領域が前記開口部の内周に囲まれる領域を含むよう形成され、前記透明板からは、前記本体部に連結された際に前記本体部の側面を迂回する側面部が延出するとともに、前記側面部からは前記本体部に連結された際に前記本体部の背面に至る背面部が延出しており、一方、前記本体部は、前記本体部に連結された前記透明板の前記背面部を係止可能な係止部材と、前記係止部材が前記背面部を係止する状態に保持する保持部材と、を有し、前記係止部材が前記背面部を係止する状態に前記保持部材が保持する場合に前記透明板の前記本体部からの離脱を許可しない状態となり、前記係止部材が前記背面部を係止しない場合に前記透明板の前記本体部からの離脱を許可する状態となることを特徴とする。
上記構成により、透明板の露出している部分を盤面扉から引き剥がそうとする行為を防止できる。また、透明板を交換可能にするのに適している。
【００１０】
請求項４記載の遊技機の盤面扉は、請求項１ないし３のいずれか１項に記載の遊技機の盤面扉において、前記透明板と前記本体部との間に装飾部材が配されていることを特徴とする。
【００１１】
透明板と本体部との間に装飾部材を配置することで装飾効果を高めることができる。
また、装飾部材がほこりやたばこの煙等で汚染されるのを防止できる。装飾部材が、例えばシボやローレット等の凹凸がある部材の場合、その凹凸に侵入した汚れを取るのは大変だが、装飾部材は汚れないので、その清掃も不要になる。
【００１２】
請求項５記載の遊技機の盤面扉は、請求項４記載の遊技機の盤面扉において、前記装飾部材は、前記透明板と前記本体部との間に形成された空間に収容されていることを特徴とする。
装飾部材が例えばシート状であって高さ（厚さ）が小さければ透明板と盤面扉の表面との間に挟み込んでしまえばよいが、立体的なものや厚みがあるものは、そうはいかない。
【００１３】
しかし、請求項５記載の遊技機の盤面扉は、透明板と本体部との間に空間が形成され、その空間に装飾部材を収容する構成であるから、立体的なものや厚みがある装飾部材を用いるのに適している。
【００１４】
請求項６記載の遊技機の盤面扉は、請求項４又は５記載の遊技機の盤面扉において、前記装飾部材はプラスチック製であることを特徴とする。
例えば電飾のレンズ、人物や動物の像等の凹凸が設けられている装飾部材はプラスチックの成形品とされることが多く、そのような装飾部材を用いる場合に上述の汚れと清掃に関する効果が得られる。
【００１５】
請求項７記載の遊技機の盤面扉は、請求項１ないし６のいずれか１項に記載の遊技機の盤面扉において、前記本体部の前記透明板と対向する部分の一部又は全部は、その隣接部分よりも凹陥していることを特徴とする。
【００１６】
この凹陥を利用すれば、透明板を前方に凸にしなくても（平坦なままでも）請求項３に記載の空間を形成できる。
また、請求項８記載のように、請求項７記載の遊技機の盤面扉において、前記凹陥の深さは前記透明板の前記本体部に対向する部分の板厚に対応している構成とすれば、露出した透明板が凹陥にはまり込んだ状態になるから、透明板の露出部分が周囲よりも突出するのを防止できる。
【００１７】
請求項９記載の遊技機の盤面扉は、請求項１ないし８のいずれか１項に記載の遊技機の盤面扉において、前記透明板の縁部又は外縁から突出した突起を保持する保持部が設けられているので、透明板の縁部を確実に保持できる。
【００２１】
請求項１０記載の遊技機の盤面扉は、請求項１ないし９のいずれか１項に記載の遊技機の盤面扉において、前記透明板を交換可能に構成されていることを特徴とする。
透明板はプラスチック製であるから、例えばアクリル樹脂などの強度に優れた樹脂であってもガラスほどの耐擦過性は持たない。従って、長期の使用によって傷つく可能性がある。その場合、請求項１０記載のように透明板を交換可能に構成しておけば、傷ついたものを新品と交換でき、盤面扉全体を交換するよりも格段に経済的であり、省資源でもある。
【００２２】
また、遊技盤とこれに付属する主制御装置、表示装置等を交換して、枠装置はそのまま使用する場合（いわゆる面替え）、透明板を一旦取り外して装飾部材を新しい遊技盤に対応したものに交換してから透明板を再装着する（新品に交換してもよい）ことができる。つまり、面替えに伴う装飾部材の交換も容易である。
【００２３】
透明板を交換可能にするための構造に特段の限定はないが、請求項１１に記載のように、請求項１０記載の遊技機の盤面扉において、前記透明板の縁部又は外縁から突出した突起を保持する保持部と、前記縁部又は突起の前記保持部からの離脱を許さない状態と該離脱を許す状態とに可変の規制手段とを備えると、透明板を交換可能な構成に適している。
【００２４】
請求項１１の場合、透明板を盤面扉の前面に沿わせて移動させることにより、透明板の縁部又は外縁から突出した突起を保持部となる溝や穴に係合させて、保持部に保持する。そして、規制手段を縁部又は突起の保持部からの離脱を許さない状態にすれば、透明板を盤面扉に取り付けて透明板が盤面扉から外れるのを阻止できる。一方、透明板の取り外しは規制手段を「離脱を許す状態」に変化させてから、縁部又は突起と溝や穴との係合を解除すればよい。
【００２５】
規制手段は、例えば透明板を盤面扉にネジ止めして縁部又は突起が保持部から外れるのを阻む構成でもよいし、請求項１に記載の押さえ部材や請求項２，３に記載の構成を規制手段として用いることもできる。或いはこれらを組み合わせてもよい。
【発明を実施するための最良の形態】
【００２７】
次に、本発明の実施例により最良の実施形態を説明する。なお、本発明は以下の実施例等に限定されるものではない。
［実施例］
図１に示すように、遊技機の一種であるパチンコ機１は、遊技盤（図示は省略）を臨ませる窓２を有する盤面扉３を備えている。盤面扉３はヒンジ４ａ、４ｂにより本体側に軸支されており、扉状に開閉できる。ただし、通常は閉じられて、錠機構５により施錠されている。
【００２８】
盤面扉３の下側には上皿６を有する皿扉７が配されている。皿扉７は、盤面扉３と共通のヒンジ４ｂと図示されないヒンジとにより本体側に軸支されており、扉状に開閉できる。ただし、通常は閉じられて、盤面扉３を開けると皿扉７を解錠できる。また、皿扉７の下側には下皿８、灰皿９、発射ハンドル１０等が取り付けられている。なお、上皿６（皿扉７）、下皿８、灰皿９、発射ハンドル１０はデザイン面を除けば公知のものと変わらない。
【００２９】
盤面扉３には、窓２を閉じる透明板１１が取り付けられている。透明板１１は透明なアクリル樹脂製である。透明板１１の表面（遊技者側に露出している面）には例えばメラミン樹脂やシリコン樹脂による耐擦傷性のコーティングが施されて、硬貨のようなもので擦られても傷が付かない程度に表面を強化されている。
【００３０】
透明板１１は窓２の前面側を閉じており、針金や薄板などであろうとも物体は窓２を通過できない。
なお、窓２は輪郭（周）が閉じている部分であり、透明板１１よりも手前側で窓２に沿った部分は透明板１１の縁部２３（図２、図３参照）を保持するための保持部１２や押さえ部材１３ａ〜１３ｃ（規制手段でもある。）等である。つまり、この透明板１１は窓２の前方に配されている。
【００３１】
そして、透明板１１の窓２から外れた部分の一部は盤面扉３の前面に露出している。
この透明板１１の露出部分１１ａの背後には装飾部材に該当するプラスチック製のレンズ１４が配されている。詳細は後述するが、このレンズ１４の背後には光源が配されていて電飾となる。
【００３２】
図２に示すように、押さえ部材１３ａ、１３ｂは（図示は省略するが押さえ部材１３ｃも）、盤面扉３の本体部１５に図示省略のビスによるネジ止めで取り付けられている。このためビスを外して押さえ部材１３ａ、１３ｂ、１３ｃを取り外すことができる。押さえ部材１３ａ、１３ｂは（押さえ部材１３ｃも）本体部１５との間に透明板１１の縁部２３を挟持しており、上述のようにビスを外すか緩めるかすれば、この挟持を解除できる。
【００３３】
また、透明板１１の縁部２３は、図３に示すように本体部１５と保持部１２とによって形成された保持溝１６に嵌合した状態で保持されている。
そして、本体部１５の背面側には、遊技盤との間に遊技領域を形成するためのガラス板１７（奥側透明板に相当）がはめ付けられ、接着されている。
【００３４】
露出部分１１ａの背後については図４に示すように構成されている。
まず、透明板１１は露出部分１１ａに連接された縦側面部１１ｂにより盤面扉３（本体部１５）の側面１５ａを迂回し、縦側面部１１ｂに連接された背面部１１ｃを本体部１５の背面１５ｂに至らせている。その背面部１１ｃの先端部には、図４及び図５に示すように係止突起１１ｄが設けられている。また、背面部１１ｃには、図５に示すように切欠１１ｅが設けられている。
【００３５】
一方、本体部１５の背面には挿通孔１８ａを有する有孔突起１８が設けられており、切欠１１ｅを通って背面部１１ｃから突出している。この状態で有孔突起１８の上端は切欠１１ｅの内周に接しているが、有孔突起１８の下端は切欠１１ｅから大きく離れている。この切欠１１ｅと有孔突起１８との寸法差は、有孔突起１８が透明板１１の盤面扉３への取り付け、取り外しを阻害するのを避けるためである。
【００３６】
そして、挿通孔１８ａに挿通された係止バー１９が係止突起１１ｄの係止バー１９側（図４で下方向、図５で左方向）への移動を規制している。図４に示すように背面部１１ｃ及び係止突起１１ｄと一連の縦側面部１１ｂは本体部１５の側面１５ａに接しているので、これと係止バー１９との働きにより係止突起１１ｄ（すなわち透明板１１）の横方向の移動が規制されている。なお、係止バー１９の頭部には指掛１９ａが設けられており、これを介して係止バー１９を挿通孔１８ａから引き抜くことができる。
【００３７】
また、図４に示すように、本体部１５には、透明板１１の露出部分１１ａの背後になる部分に凹陥部２０が設けられている。この凹陥部２０内には光源となるＬＥＤ２１が基板２２に保持されて配されている。なお、ＬＥＤ２１は２個だけ図示してあるが、実際には多数ある。そして、ＬＥＤ２１をレンズ１４で覆うことにより電飾を構成している。
【００３８】
透明板１１を盤面扉３に取り付ける手順は、次のようになる。
まず、押さえ部材１３ａ、１３ｂ、１３ｃ及び係止バー１９は盤面扉３に取り付けずにおく（又は取り外しておく）。その状態で、透明板１１の一部を盤面扉３の図１における右上部にあてがうようにし、そのまま右上角から左下角に向かう方向に沿って移動させて（単に対角線沿いに移動させるわけでなく、横や縦への移動もある。）、透明板１１の縁部２３を保持溝１６に嵌合させる。上述した切欠１１ｅと有孔突起１８との寸法差は、この透明板１１の斜め移動を可能にするためである。
【００３９】
透明板１１と盤面扉３との位置決め後、挿通孔１８ａに係止バー１９を挿通して係止突起１１ｄを係止させる。これにより、透明板１１の左右方向の移動が規制される。
また、透明板１１の背面部１１ｃが本体部１５の背面１５ｂに接触していることと縁部２３が保持溝１６に嵌合していることから、透明板１１の前後方向の移動が規制される。
【００４０】
そして、押さえ部材１３ａ、１３ｂ、１３ｃを取り付けると、透明板１１の前後方向の移動がより強固に規制される。また、特に押さえ部材１３ａによって透明板１１の上方向の移動が規制され、透明板１１の下方向の移動は特に押さえ部材１３ｂとその左右の保持溝１６によって規制される。
【００４１】
このようにして、透明板１１の左右、上下、前後の各方向への移動が規制されて、透明板１１は盤面扉３に固定される。なお、係止バー１９による係止突起１１ｄの係止と押さえ部材１３ａ、１３ｂ、１３ｃの取り付けは、上の順序と逆であってもよい。
【００４２】
そして、上述のように取り付けた透明板１１は、係止バー１９及び押さえ部材１３ａ、１３ｂ、１３ｃを取り外せば、容易に盤面扉３から取り外すことができる。すなわち、透明板１１の交換は容易である。また、透明板１１を交換しないまでも、電飾（レンズ１４とＬＥＤ２１との双方又は一方）の交換なども容易である。
【００４３】
電飾の代わりに、或いは電飾と共に装飾材（例えばパチンコ機１の機種名やメーカー名、商標などが描かれたプラスチック製のプレートなど）を凹陥部２０に収容した場合でも、同様に交換できる。
【００４４】
ところで、上の説明から明らかなとおり、透明板１１の縦側面部１１ｂ、背面部１１ｃ、係止突起１１ｄ、本体部１５の有孔突起１８及び係止バー１９にて離脱防止手段が構成されているが、例えば図６に示すように縦側面部１１ｂ、背面部１１ｃ及び係止突起１１ｄに相当する部分を透明板１１から切り離して押さえ部１１ｆを設けた構成としてもよい。また、図７に示すように、係止突起１１ｄ及び有孔突起１８を備えず（係止バー１９も用いない）、縦側面部１１ｂ、背面部１１ｃ及び押さえ部１１ｆからなる部材を用いて、これを例えばビスにて本体部１５に着脱する構成としてもよい。或いは背面部１１ｃ無くして、縦側面部１１ｂ及び押さえ部１１ｆからなる部材を用いて、これを例えばビスにて本体部１５の側面に着脱する構成としてもよい。
【００４５】
以上の通り、盤面扉３では、プラスチック製の透明板１１が窓２から外れた部分の一部（露出部分１１ａ）を盤面扉３の前面に露出させて取り付けられて窓２の前面側を閉じている。透明板１１が窓２にはめ込まれるわけではないので、窓２の周形状が透明板１１によって制約されない。よって、盤面扉３のデザイン（特に窓２の周形状）の自由度が高まる。
【００４６】
また、透明板１１の露出部分１１ａが盤面扉３の前面に露出させられるので、換言すれば透明板１１の一部が盤面扉３の最表面となるので、斬新な視覚的効果が得られる。
しかも、透明板１１のほぼ全体を盤面扉３の前面部分に位置させるので、遊技盤との間に遊技領域を形成するガラス板１７との間隔は窓２の奥行き分で十分に確保される。このため、従来技術では２枚のガラス板間に設けなければならなかった間隔に相当する分だけ盤面扉３としての奥行きを小さくできる。
【００４７】
また、透明板１１の露出部分１１ａの背後に装飾部材（実施例では電飾）を配置することで装飾効果を高めることができる。実施例では装飾部材としてレンズ１４を用いているが、このようなシボやローレット等の凹凸がある部材の場合、その凹凸に侵入した汚れを取るのは大変だが、透明板１１によって覆われているために、ほこりやたばこの煙等でレンズ１４が汚染されることはなく、その清掃も不要になる。
【００４８】
電飾を構成しているレンズ１４及びＬＥＤ２１は、立体的で厚みがあるが、露出部分１１ａの背後に凹陥部２０を設けてここに収容する構成であるから問題はない。しかも、凹陥部２０を設けたことにより、透明板１１を前方に凸にしなくてよい（平坦なままでよい）から、透明板１１の形状が複雑化しない。
【００４９】
透明板１１の縁部２３を保持部１２による保持溝１６に保持するから、透明板１１の縁部２３を確実に保持できる。また、透明板１１の縁部２３は押さえ部材１３ａ、１３ｂ、１３ｃによっても保持されるから、透明板１１の取付がより良好、確実になる。
【００５０】
透明板１１の露出部分１１ａは、透明板１１の縦側面部１１ｂ、背面部１１ｃ、係止突起１１ｄ、本体部１５の有孔突起１８及び係止バー１９にて構成される離脱防止手段により、盤面扉３から離されるのを防止されるから、露出部分１１ａを引き剥がそうとする行為を防止できる。
【００５１】
この離脱防止手段は、透明板１１を盤面扉３から離脱させない状態と該離脱を許す状態とに可変であり、押さえ部材１３ａ、１３ｂ、１３ｃも取り外せるから、透明板１１を交換可能である。従って、長期の使用によって傷ついた場合等には透明板１１だけを新品と交換すれば済み、盤面扉３全体を交換するよりも格段に経済的であり、省資源でもある。
【００５２】
また、遊技盤とこれに付属する主制御装置、表示装置等を交換して、枠装置はそのまま使用する場合（いわゆる面替え）、透明板を一旦取り外して装飾部材を新しい遊技盤に対応したものに交換してから透明板１１を再装着する（新品に交換してもよい）ことができる。つまり、面替えに伴う装飾部材の交換も容易である。
［その他］
実施例及び変形例にしたがって本発明の実施の形態を説明したが、本発明はこれらの例に限定されるものではない。
【図面の簡単な説明】
【００５３】
【図１】実施例のパチンコ機の正面図。
【図２】実施例の盤面扉の縦断面図。
【図３】実施例の盤面扉の保持部の断面図。
【図４】離脱防止手段の構造を説明する断面図。
【図５】離脱防止手段の説明図。
【図６】離脱防止手段（変形例１）の構造を説明する断面図。
【図７】離脱防止手段（変形例２）の構造を説明する断面図。
【符号の説明】
【００５４】
１・・・パチンコ機（遊技機）、
２・・・窓、
３・・・盤面扉、
１１・・・透明板、
１１ａ・・・露出部分、
１１ｂ・・・縦側面部（離脱防止手段）、
１１ｃ・・・背面部（離脱防止手段）、
１１ｄ・・・係止突起（離脱防止手段）、
１１ｅ・・・切欠、
１１ｆ・・・押さえ部（離脱防止手段）、
１２・・・保持部、
１３ａ、１３ｂ、１３ｃ・・・押さえ部材（規制手段）、
１４・・・レンズ（装飾部材）、
１５・・・本体部、
１６・・・保持溝、
１７・・・ガラス板（奥側透明板）、
１８・・・有孔突起（離脱防止手段）、
１９・・・係止バー（離脱防止手段）、
２０・・・凹陥部、
２１・・・ＬＥＤ
２２・・・基板、
２３・・・縁部。
【図１】
0004750365.tif 000002
【図２】
0004750365.tif 000003
【図３】
0004750365.tif 000004
【図４】
0004750365.tif 000005
【図５】
0004750365.tif 000006
【図６】
0004750365.tif 000007
【図７】
0004750365.tif 000008